(57)【要約】【課題】屋内側から外壁パネルを設置するに際して取り回しが容易な建物及び施工方法を提供する。【解決手段】建物１０には、外周下階天井梁１６ａに沿って延びている外周案内レール部５５と、屋内外方向に延びている屋内案内レール部５６とが設けられている。外周案内レール部５５は複数の外周案内レール５７から構成され、屋内案内レール部５６は複数の屋内案内レール５８から構成されている。下階外壁パネル２０及び上階外壁パネル３０の上端部には、外周案内レール部５５及び屋内案内レール部５６に対して吊り下げ可能な吊り具６０が取り付けられている。したがって、屋内において下階外壁パネル２０及び上階外壁パネル３０の取り回しを容易とすることができる。【選択図】図２
2009203739.tif 000002
【特許請求の範囲】
【請求項１】
外壁パネルが建物外周部に設置されてなる建物であって、
前記外壁パネルを吊り下げ支持するとともに当該外壁パネルを前記建物外周部に沿って案内する外周案内レールを備え、
前記外周案内レールには、前記外壁パネルを屋内側から当該外周案内レールに誘導する誘導部が設けられていることを特徴とする建物。
【請求項２】
前記外壁パネルには、前記外周案内レールに吊り下げられる吊り具が備えられており、
前記吊り具は、前記外周案内レールに対する前記外壁パネルの高さ位置を調整する調整手段を備えている請求項１に記載の建物。
【請求項３】
前記外壁パネルを吊り下げ支持するとともに当該外壁パネルを屋内から前記建物外周部へ案内する屋内案内レールを備え、
前記屋内案内レールは、前記誘導部を介して前記外周案内レールに前記外壁パネルを誘導する位置に設置されている請求項１又は２に記載の建物。
【請求項４】
少なくとも前記屋内案内レールの下面位置は、天井板が取り付けられる天井下地材の下面位置と同一高さ位置に設置されており、
前記屋内案内レールが複数の天井下地材の一部として利用されている請求項３に記載の建物。
【請求項５】
前記外周案内レール及び屋内案内レールは、天井梁に固定されている請求項３又は４に記載の建物。
【請求項６】
前記外周案内レールには前記屋内案内レールによる外壁パネルの吊り下げ位置よりも下方位置にて当該外壁パネルを吊り下げる部分を備え、
その部分に配置された外壁パネルにより、当該外壁パネルの下方にある止水材を弾力に抗して圧縮状態にされた状態で当該外壁パネルが建物外周部にて固定されている請求項１乃至５のいずれか１項に記載の建物。
【請求項７】
外壁パネルを吊り下げ支持するとともに当該外壁パネルを建物外周部に沿って案内し、さらに外壁パネルを屋内側から誘導する誘導部が設けられている外周案内レールを設置するレール設置工程と、
前記誘導部を介して外壁パネルを前記外周案内レールに吊り下げ、当該外周案内レールに沿って外壁パネルを取り付け位置まで移動させる吊り下げ移動工程とを備えた建物の施工方法。
【請求項８】
前記レール設置工程は、前記外壁パネルを吊り下げ支持するとともに当該外壁パネルを屋内から前記建物外周部へ案内する屋内案内レールを設置する工程を含み、
前記吊り下げ移動工程は、前記屋内案内レールに外壁パネルを吊り下げた後に、当該屋内案内レールに沿って外壁パネルを誘導部まで移動させ、前記誘導部に外壁パネルを受け渡す工程を含む請求項７に記載の建物の施工方法。
【請求項９】
前記吊り下げ移動工程の後に行われ、前記屋内案内レールの下面に天井材を取り付ける天井取り付け工程をさらに備える請求項７又は８に記載の建物の施工方法。
【請求項１０】
前記吊り下げ移動工程の外壁パネルの移動は、前記吊り下げ状態にある外壁パネルの下端を、当該外壁パネルの支持位置を高さ調整する機能を有した搬送台車によって支持することにより行われる請求項７乃至９のいずれか１項に記載の建物の施工方法。
【発明の詳細な説明】
【技術分野】
【０００１】
本発明は、建物躯体に外壁パネルが固定されてなる建物、及びその建物を構築するのに好適な施工方法に関する。
【背景技術】
【０００２】
軸組構造の建物では外壁パネルを取り付け施工する場合、外壁パネルをクレーンによって吊り下げて、屋外側より所定の取り付け位置へ移動させる。そして、建物の周囲には足場を組んでおき、その足場から作業者が外壁パネルを所定の取り付け位置に誘導し、屋外側から外壁パネルを釘等によって固定するのが一般的である。
【０００３】
しかしながら、施工場所の近くまでクレーンが入り込めない環境では、外壁パネルをクレーンにより吊り下げて移動させるのは不可能である。また、隣棟間隔の小さい狭小敷地などでは、仮に施工場所の近くまでクレーンが入り込めたとしても外壁パネルを吊り下げ移動している際に、外壁パネルを隣棟に衝突させるおそれもある。さらには、建物の周囲に足場を設置する空間がないため、屋外側から外壁パネルを誘導したり、外壁パネルを固定したりという作業をすることができない。
【０００４】
そこで、上記問題点を解決しようとするものとして、外壁パネルを建物の屋内側から取り付けるようにした技術が提案されている（例えば、特許文献１参照）。
【特許文献１】特開平７−２３８６０９号公報
【発明の開示】
【発明が解決しようとする課題】
【０００５】
しかしながら、上記した屋内側から外壁パネルを取り付ける技術については、外壁パネルが重量物であるため、屋内における取り回しが非常に大変である。
【０００６】
本発明は、屋内側から外壁パネルを設置するに際して取り回しが容易な建物及び施工方法を提供することを主たる目的とするものである。
【課題を解決するための手段】
【０００７】
上記課題を解決すべく、第１の発明の建物は、外壁パネルが建物外周部に設置されてなる建物であって、前記外壁パネルを吊り下げ支持するとともに当該外壁パネルを前記建物外周部に沿って案内する外周案内レールを備え、前記外周案内レールには、前記外壁パネルを屋内側から当該外周案内レールに誘導する誘導部が設けられていることを特徴とする。
【０００８】
この第１の発明によれば、外壁パネルを屋内側から誘導部を通じて外周案内レールに誘導することにより、外壁パネルを外周案内レールに対して吊り下げ支持することができ、その後、外壁パネルをその吊り下げ状態で建物外周部に沿って案内することができる。
【０００９】
これにより、建物の屋内側から重量物である外壁パネルを所定の位置に設置するに際して、取り回しを容易とすることができる。したがって、外壁パネルをクレーンで吊り下げて所定の位置に移動させるのが困難な隣棟間隔の小さい狭小敷地などにおいても、外壁パネルを容易に所定位置に設置することができるようになる。
【００１０】
第２の発明の建物は、前記外壁パネルには、前記外周案内レールに吊り下げられる吊り具が備えられており、前記吊り具は、前記外周案内レールに対する前記外壁パネルの高さ位置を調整する調整手段を備えていることを特徴とする。
【００１１】
本構成によれば、外壁パネルに備えられた吊り具を外周案内レールに吊り下げることにより外壁パネルを吊り下げることができ、また、その吊り下げ状態にある外壁パネルの外周案内レールに対する高さ位置を当該吊り具により調整することがきる。これにより、外壁パネルの下端が床面に接触しないように、外壁パネルを適切な高さ位置で吊り下げることができる。
【００１２】
第３の発明の建物は、前記外壁パネルを吊り下げ支持するとともに当該外壁パネルを屋内から前記建物外周部へ案内する屋内案内レールを備え、前記屋内案内レールは、前記誘導部を介して前記外周案内レールに前記外壁パネルを誘導する位置に設置されていることを特徴とする。
【００１３】
本構成によれば、外壁パネルをまず屋内案内レールに吊り下げて、その吊り下げ状態で屋内から建物外周部付近へ案内することができるとともに、外壁パネルを外周案内レールに誘導部を介して誘導することができる。これにより、外壁パネルを建物の屋内側から所定の取り付け位置に移動させる作業が、より一層容易となる。そのため、屋内側から外壁パネルを施工する際の作業負担をより一層軽減させることができる。
【００１４】
第４の発明の建物は、少なくとも前記屋内案内レールの下面位置は、天井板が取り付けられる天井下地材の下面位置と同一高さ位置に設置されており、前記屋内案内レールが複数の天井下地材の一部として利用されていることを特徴とする。
【００１５】
本構成によれば、少なくとも屋内案内レールの下面位置は、天井板が取り付けられる天井下地材の下面位置と同一高さであるため、屋内案内レールは当該天井下地材とともに天井板が取り付けられる天井下地材として利用することができる。したがって、少なくとも屋内案内レール（好ましくは外周案内レールも含めた各案内レール）は外壁パネルの取り付け施工に利用されるだけではなく取り付け施工後は建物の必要部材の一部として利用されるため、案内レールの有効利用を図ることができる。また、案内レールを天井下地材として利用することによって、外壁パネルの取り付け施工後に案内レールを建物から取り外す必要がなくなるため、施工の際の作業量をその分抑制することができる利点もある。
【００１６】
第５の発明の建物は、前記外周案内レール及び屋内案内レールは、天井梁に固定されていることを特徴とする。
【００１７】
外周案内レール及び屋内案内レールを建物躯体の一部である天井梁に固定することにより、外周案内レール及び屋内案内レールを撓みにくくすることができる。これにより、重量物である外壁パネルが吊り下げられても外周案内レール及び屋内案内レールの下方への撓みは抑制されるため、外壁パネルの吊り下げ移動を円滑に行うことができるし、安定した状態で外壁パネルを建物外周部に設置することができる。
【００１８】
第６の発明の建物は、前記外周案内レールには前記屋内案内レールによる外壁パネルの吊り下げ位置よりも下方位置にて当該外壁パネルを吊り下げる部分を備え、その部分に配置された外壁パネルにより、当該外壁パネルの下方にある止水材を弾力に抗して圧縮状態にされた状態で当該外壁パネルが建物外周部にて固定されていることを特徴とする。
【００１９】
外周案内レールによる外壁パネルの吊り下げ位置は屋内案内レールによる外壁パネルの吊り下げ位置より低いため、外壁パネルを屋内案内レールから外周案内レールに移動させることにより外壁パネルをその下方にある止水材の上に落下させ、止水材を圧縮することができる。また、この落下により外壁パネルは所定の固定位置に配置されるため、外壁パネルの配置と同時に外壁パネル下端部の止水を行うことができる。したがって、通常は外壁パネルの施工の際に屋外側から行う止水作業を省略することができるため、施工時における作業量の軽減を期待できるばかりか、屋外側からの作業が不可能な状況であっても上記部分の止水を行うことができる。
【００２０】
第７の発明の施工方法は、外壁パネルを吊り下げ支持するとともに当該外壁パネルを建物外周部に沿って案内し、さらに外壁パネルを屋内側から誘導する誘導部が設けられている外周案内レールを設置するレール設置工程と、前記誘導部を介して外壁パネルを前記外周案内レールに吊り下げ、当該外周案内レールに沿って外壁パネルを取り付け位置まで移動させる吊り下げ移動工程とを備えたことを特徴とする。
【００２１】
本構成によれば、外壁パネルを吊り下げ支持するとともに外壁パネルを建物外周部に沿って案内し、さらに外壁パネルを屋内側から誘導する誘導部が設けられている外周案内レールを設置し、その後、この外周案内レールに外壁パネルを屋内側から誘導部を介して吊り下げ、外周案内レールに沿って取り付け位置まで移動させることができる。これにより、建物の屋内側から重量物である外壁パネルを所定の取り付け位置に設置するに際して、取り回しを容易とすることができる。したがって、隣棟間隔の小さい狭小敷地などにおいても外壁パネルを容易に所定位置に設置することができるようになる。
【００２２】
第８の発明の施工方法は、前記レール設置工程は、前記外壁パネルを吊り下げ支持するとともに当該外壁パネルを屋内から前記建物外周部へ案内する屋内案内レールを設置する工程を含み、前記吊り下げ移動工程は、前記屋内案内レールに外壁パネルを吊り下げた後に、当該屋内案内レールに沿って外壁パネルを誘導部まで移動させ、前記誘導部に外壁パネルを受け渡す工程を含むことを特徴とする。
【００２３】
本構成によれば、外壁パネルを吊り下げ支持するとともに外壁パネルを屋内から建物外周部へ案内する屋内案内レールを設置し、この屋内案内レールに外壁パネルを吊り下げ、その吊り下げ状態で外壁パネルを誘導部まで移動させ、この誘導部に外壁パネルを受け渡すことができる。そのため、屋内側から外壁パネルを施工する際の作業負担をより一層軽減させることができる。
【００２４】
第９の発明の施工方法は、前記吊り下げ移動工程の後に行われ、前記屋内案内レールの下面に天井材を取り付ける天井取り付け工程をさらに備えることを特徴とする。
【００２５】
本構成によれば、外壁パネルを屋内案内レール及び外周案内レールに吊り下げて所定の取り付け位置に移動させた後、屋内案内レールの下面に天井材を取り付けることができる。これにより、屋内案内レールは外壁パネルの取り付け施工に利用された後は、天井材の下地材として利用されるため、有効利用を図ることができる。また、本構成にすれば、外壁パネルの取り付け施工後に屋内案内レールを建物から取り外す必要がなくなるため、施工時における作業量の低減を期待できる。
【００２６】
第１０の発明の施工方法は、前記吊り下げ移動工程の外壁パネルの移動は、前記吊り下げ状態にある外壁パネルの下端を、当該外壁パネルの支持位置を高さ調整する機能を有した搬送台車によって支持することにより行われることを特徴とする。
【００２７】
本構成によれば、外壁パネルを屋内案内レール又は外周案内レールに対して吊り下げて移動させる際には、吊り下げ状態にある外壁パネルの下端を搬送台車により支持することができる。外壁パネルを屋内案内レール又は外周案内レールに対する吊り下げのみにより支持する構成とすると、外壁パネルの重量によって屋内案内レール又は外周案内レールが下側に撓み、外壁パネルの下端が床面に接触するおそれがある。この点、本構成のようにすれば、外壁パネルの下端は搬送台車により支持されるため、搬送台車側すなわち床側にもパネル重量の一部を負担させることができ、そのようなおそれがなくなる。また、本構成によれば搬送台車により支持されている外壁パネルの支持位置を高さ調整することができる。これにより、搬送台車による適切なパネル下端支持を実現することができるし、案内レールと床面との間隔の変化にも追従することができる。
【発明を実施するための最良の形態】
【００２８】
以下に、一実施の形態について図面を参照しつつ説明する。なお、図１は一実施形態の建物の一部を示す側面図、図２は図１の要部側面図、図３は屋内案内レールの斜視図、図４は外周案内レールの斜視図、図５は屋内案内レール及び外周案内レールの配置を示す底面図、図６は外壁パネルの吊り下げ構成を示す斜視図である。
【００２９】
図１に示すように、本実施形態の建物１０は、基礎１１上に形成された下階部分としての一階部分１２と、一階部分１２の上方に連続して形成された上階部分としての二階部分１３と、二階部分の上方に設けられた屋根１４とを備えている。建物１０は、横架材としての下階天井梁（上階床梁）１６や上階天井梁１７等の梁と、下階柱や上階柱等の柱とを含む軽量鉄骨を組み立ててなる軸組構造（建物躯体）を有する。そして、この軸組構造の外周には、下階外壁パネル２０及び上階外壁パネル３０を含む外壁パネルが複数設置されており、下階外壁パネル２０の一部にはシャッタ装置２５が備えられている。また、一階部分１２においては、基礎１１上に床仕上げ材２１や床面下地材２２からなる床材２３が敷設され、下階天井梁１６等によって天井材２４が支持されている。一方、二階部分１３においては、下階天井梁１６上に設置された床根太１９の上方に床材２３が敷設され、上階天井梁１７等によって天井材２４が支持されている。
【００３０】
下階外壁パネル２０及び上階外壁パネル３０は、いずれも建物１０の屋外側に露出する外壁板２７とその背面側（屋内側）に固定された壁下地フレーム２８とから構成されている。外壁板２７は、建物１０の外観を決定付けるものであって、意匠性を高めるべく表面に凹凸模様等が施され、かつ耐候性に優れた素材で形成されている。
【００３１】
壁下地フレーム２８は、例えばスチール等の高剛性金属からなる。壁下地フレーム２８は、下階外壁パネル２０の幅方向両端部及びそれらの中間において上下方向に延びる縦フレーム部２８ａと、各縦フレーム部２８ａの上端部に連結されるとともに幅方向に延びる上フレーム部２８ｂと、各縦フレーム部２８ａの下端部に連結されるとともに幅方向に延びる下フレーム部２８ｃとから構成されている。そして、壁下地フレーム２８は、その剛性の高さによって外壁パネル２０，３０自身の強度を高めるとともに、建物１０の骨組の一部を構成する天井梁１６，１７や基礎１１に対し所定の金具を介して連結されている。
【００３２】
次に、下階外壁パネル２０の取り付け構造の詳細について、図１及び図２に基づいて説明する。
【００３３】
図２に示すように、基礎１１の天端にはＬ型のパネル下部固定板２９がボルトによって固定されており、そのパネル下部固定板２９の屋外側端部である鉛直面には外壁面を形成する下階外壁下パネル３１が取り付けられている。
【００３４】
下階外壁下パネル３１は、建物１０の屋外側に露出する下階下部外壁板３２と、その背面側（屋内側）に固定された下階下部フレーム３３とから構成されている。下階下部外壁板３２は、外壁板２７と同じ素材で形成されており、外観上の統一が図られている。また、下階下部フレーム３３は、例えばスチール等の高剛性金属からなる。そして、下階下部フレーム３３は縦断面が略コ字状であり、その開口部を下方に向けながら下階下部外壁板３２の幅方向に延びている。
【００３５】
下階外壁パネル２０は、図１及び図２に示すように、この下階外壁下パネル３１の上方に設置されている。そして、下階外壁パネル２０と下階外壁下パネル３１との間には、弾性を有する止水材３４が圧縮された状態で介在されている。より詳しくは、下階外壁パネル２０の下フレーム部２８ｃと、下階外壁下パネル３１の下階下部フレーム３３との間に、止水材３４は介在されている。下階外壁パネル２０の下フレーム部２８ｃは、下階下部フレーム３３の上端面に当接された下側水平板部６３と、その屋外側端部が上方に折り曲げられ、さらにその上端部において屋外側に折り曲げられて外壁板２７裏面まで延びる上側水平板部６４とを有している。そのため、上側水平板部６４と下階下部フレーム３３の上端面との間には、所定の隙間が形成されている。そして、これらの間の間隙距離は止水材３４の厚みより小さく設定されており、この隙間に止水材３４は圧縮状態で介在されている。これにより、下階外壁パネル２０と下階外壁下パネル３１との間に形成される目地からの雨水等の浸入を防止している。
【００３６】
また、下階下部フレーム３３上端部の水平部下面側には固定手段を構成する下側ウェルドナット３６が固定されている。そして、下階外壁パネル２０の下フレーム部２８ｃの下側水平板部６３と下階下部フレーム３３上端の水平部とを介して、上側から固定手段を構成するボルト３５を下側ウェルドナット３６に螺合させることにより下階外壁パネル２０の下端部は固定されている。
【００３７】
下階外壁パネル２０の裏側上部に設けられた上フレーム部２８ｂの屋内側鉛直面には、パネル上部固定板３７が取り付けられている。パネル上部固定板３７は、上フレーム部２８ｂに取り付けられる取り付け部としての鉛直板部３７ａと、その鉛直板部３７ａの上端が屋内側に折り曲げられて形成された水平板部３７ｂとを有する略Ｌ字状の板材であり、下階外壁パネル２０の幅方向に沿って延びている。この鉛直板部３７ａがボルト３８及びナット３９によって、上フレーム部２８ｂに締結されている。なお、鉛直板部３７ａに形成されたボルト３８が挿通される挿通孔４０（図６参照）は上下方向に延びる縦長孔であり、これによりパネル上部固定板３７は縦長孔により制限される範囲内で上下方向に位置変更できるようになっている。
【００３８】
パネル上部固定板３７の上方には、下階天井梁１６のうち建物１０の外周部に位置する外周下階天井梁１６ａ（なお、建物１０の外周部に位置する上階天井梁１７は、以下、外周上階天井梁１７ａという）が設けられている。パネル上部固定板３７と外周下階天井梁１６ａとの間には外周案内レール部５５（その詳細については後述する）が外周下階天井梁１６ａの長手方向に沿って延びており、パネル上部固定板３７の上端及び外周下階天井梁１６ａの下端はそれぞれ外周案内レール部５５に当接されている。また、外周下階天井梁１６ａ下端部の水平部上面側には、固定手段を構成する梁下側ウェルドナット４１が固定されている。そして、パネル上部固定板３７の水平板部３７ｂの下側より水平板部３７ｂ、外周案内レール部５５及び外周下階天井梁１６ａ下端部の水平部を貫通して、固定手段を構成するボルト４３を梁下側ウェルドナット４１に螺合させることによりパネル上部固定板３７の水平板部３７ｂは外周下階天井梁１６ａに固定されている。これにより、下階外壁パネル２０の上端部は固定されている。
【００３９】
下階外壁パネル２０の上方には、上階外壁下パネル４４が設置されている。上階外壁下パネル４４は、建物１０の屋外側に露出する上階下部外壁板４５と、その背面側（屋内側）に固定された上階下部フレーム４６とから構成されている。上階下部外壁板４５は、外壁板２７と同じ素材で形成されており、外観上の統一が図られている。上階下部フレーム４６は、例えばスチール等の高剛性金属からなる。上階下部フレーム４６は、上階下部外壁板４５の上下両端部において幅方向に延びる縦断面コ字状の横フレーム部４６ａを有しており、横フレーム部４６ａはその開口部を内側に向けた状態で上階下部外壁板４５に取り付けられている。
【００４０】
上側の横フレーム部４６ａの屋内側端面には、下パネル固定板４７が取り付けられている。下パネル固定板４７は、上側の横フレーム部４６ａに取り付けられる取り付け部としての鉛直板部４７ａと、その鉛直板部４７ａの上端が屋内側に折り曲げられて形成された水平板部４７ｂとを有する略Ｌ字状の板材であり、上階外壁下パネル４４の幅方向に沿って延びている。そして、下パネル固定板４７の鉛直板部４７ａがボルト等の固定手段によって、上階外壁下パネル４４の上側の横フレーム部４６ａに固定されている。
【００４１】
上階外壁下パネル４４は、この下パネル固定板４７の水平板部４７ｂを外周下階天井梁１６ａ上面に取り付けることにより、固定されている。外周下階天井梁１６ａ上端部の水平部下面側には、固定手段を構成する梁上側ウェルドナット４８が固定されている。この梁上側ウェルドナット４８にボルト４９を、下パネル固定板４７の水平板部４７ｂの上側より下パネル固定板４７の水平板部４７ｂと外周下階天井梁１６ａ上端の水平部とを貫通して螺合させることにより、下パネル固定板４７の水平板部４７ｂは外周下階天井梁１６ａに固定されている。
【００４２】
また、本実施形態では、上階外壁下パネル４４の上階下部外壁板４５と下階外壁パネル２０の外壁板２７との間に形成された所定の隙間から雨水等が侵入するのを防止するために、既存の止水構造により止水を図っている。したがって、止水構造に関しての詳細な説明は省略する。本実施形態では、化粧胴差としての止水カバー５１が上階下部外壁板４５と外壁板２７とを跨ぐように取り付けられており、止水カバー５１の裏面に貼り付けられたシール材が止水カバー５１と外壁板２７又は上階下部外壁板４５との間で圧縮されることにより、雨水等が侵入するのを防止している。
【００４３】
次に、上階外壁パネル３０の取り付け構造の詳細について説明する。上階外壁パネル３０の取り付け構造は、基本的には、下階外壁パネル２０の取り付け構造と同一であるので、同一である部分については同一符号を付して説明を省略又は簡略化する。
【００４４】
上階外壁パネル３０は、図１及び図２に示すように、上階外壁下パネル４４の上方に設置されている。上階外壁パネル３０の下端部付近の構成は下階外壁パネル２０の下端部付近の構成と略同様であり、下階外壁パネル２０の下方には下階外壁下パネル３１が設置されていたのに対し、上階外壁パネル３０の下方には上階外壁下パネル４４が設置されているだけの相違である。したがって、上階外壁パネル３０と上階外壁下パネル４４との間にも止水材３４が圧縮された状態で介在されている。また、上階外壁下パネル４４の上側の横フレーム部４６ａ上端の水平部下面側には、下側ウェルドナット３６が固定されており、上階外壁パネル３０の下フレーム部２８ｃの上側から、下フレーム部２８ｃと横フレーム部４６ａとを貫通して、下側ウェルドナット３６にボルト３５を螺合させることにより上階外壁パネル３０の下端部は固定されている。
【００４５】
一方、上階外壁パネル３０の上端部付近の構成も下階外壁パネル２０の上端部付近の構成と基本的には同様であり、下階外壁パネル２０の上端部は外周下階天井梁１６ａに固定されていたのに対し、上階外壁パネル３０の上端部は外周上階天井梁１７ａに固定されている点が相違するだけである。
【００４６】
また、上階外壁パネル３０の上方には、屋根１４下において外壁面を形成する上階外壁上パネル５２が設置されている。上階外壁上パネル５２は、上階外壁下パネル４４と基本的には同様の構成であり、その取り付け構成についても上階外壁下パネル４４の取り付け構成と同様である。ただ、上階外壁下パネル４４は外周下階天井梁１６ａに固定されているのに対し、上階外壁上パネル５２は外周上階天井梁１７ａに固定されている点が相違するだけである。なお、上階外壁パネル３０と上階外壁上パネル５２との間に形成される目地には、既存の止水処理が施されている。
【００４７】
次に、下階外壁パネル２０及び上階外壁パネル３０を吊り下げた状態で案内するレール部５０についての詳細を図３乃至図５に基づいて説明する。
【００４８】
一階部分１２及び二階部分１３における天井部には、外壁パネル２０、３０を吊り下げて案内するためのレール部５０が設けられている。外壁パネル２０、３０は、詳しくは、外壁パネル２０、３０の上端部に取り付けられた吊り具６０をレール部５０に対して吊り下げることにより、吊り下げられている。そして、外壁パネル２０、３０は、その吊り下げ状態のまま、吊り具６０をレール部５０に沿ってスライドさせながら移動する。
【００４９】
レール部５０は、図５に示すように、外周天井梁１６ａ、１７ａに沿って延びる外周案内レール部５５と、屋内外方向に沿って延びる一対の屋内案内レール部５６とからなる。外周案内レール部５５は、金属製等の板材からなる複数の外周案内レール５７から構成されている。外周案内レール５７は、外周天井梁１６ａ、１７ａに沿って延びる長尺状のレールである。そして、この外周案内レール５７が複数、互いに当接又は近接した位置関係で直列に連なった状態で、各外周案内レール５７はボルト溶接等により外周天井梁１６ａ、１７ａの下面に固定されている。これにより、外周案内レール部５５は構成されている。
【００５０】
一方、屋内案内レール部５６は、金属製等の板材からなる複数の屋内案内レール５８から構成されている。屋内案内レール５８は、屋内外方向に延びている長尺状のレールである。そして、この屋内案内レール５８が複数、互いに当接又は近接した位置関係で直列に連なった状態で、各屋内案内レール５８は屋内外方向に延びる天井梁１６、１７である屋内下階天井梁１６ｂ、屋内上階天井梁１７ｂの下面にボルトにより固定されている。これにより、屋内案内レール部５６は構成されている。
【００５１】
本実施形態では、屋内案内レール部５６は所定の間隔をおいて一対設けられており、各屋内案内レール部５６の屋外側端部はそれぞれ外周案内レール部５５と近接又は当接された位置関係にある。
【００５２】
次に、外周案内レール５７及び屋内案内レール５８の詳細について、図３及び図４に基づいて説明する。
【００５３】
外周案内レール５７は、図４に示すように、その下端部分である支持水平部５７ａと、その支持水平部５７ａの屋内側端部が上方に折り曲げられて形成された段差起立部５７ｂと、その段差起立部５７ｂの上端が屋内側に折り曲げられて形成された中間水平部５７ｃと、中間水平部５７ｃの屋内側端部が上方に折り曲げられて形成された屋内側起立板部５７ｄと、屋内側起立板部５７ｄの上端が屋外側に折り曲げられて形成された上端水平部５７ｅと、上端水平部５７ｅの屋外側端部が下方に折り曲げられて支持水平部５７ａの屋外側端部まで延びる屋外側起立板部５７ｆとを有する。
【００５４】
屋内側起立板部５７ｄには、その長手方向の略中央部において、吊り具６０を屋内案内レール部５６から外周案内レール部５５へ誘導するための開口部である誘導口５９が形成されている。誘導口５９は横長の長方形状の開口部であり、その上端及び下端はそれぞれ上端水平部５７ｅの下面及び中間水平部５７ｃの上面となっている。また、支持水平部５７ａには、その短手方向の略中央部においてスリットが、外周案内レール５７の長手方向に沿ってかつ長手方向の全域に渡って、所定のスリット幅で形成されている。以下、このスリットを長手スリットＳ１という。そして、長手スリットＳ１の長手方向の略中央部において長手スリットＳ１から分岐された別のスリットが屋内側に向かって延びており、このスリットを以下、短手スリットＳ２という。短手スリットＳ２は支持水平部５７ａ、段差起立部５７ｂ及び中間水平部５７ｃに連続して形成されており、その屋内側端部において誘導口５９と一体となっている。より詳しくは、短手スリットＳ２は、誘導口５９の下端中央で誘導口５９とつながっている。なお、短手スリットＳ２のスリット幅は、長手スリットＳ１のスリット幅と同一となっている。
【００５５】
屋内案内レール５８は、その下端部分である支持水平部５８ａと、その支持水平部５８ａの短手方向における両端部がそれぞれ上方に折り曲げられて形成された起立板部５８ｂと、これらの起立板部５８ｂの上端部がそれぞれ同じ高さ位置で内側に折り曲げられることにより一体となって形成されている上端水平部５８ｃとを有する。支持水平部５８ａには、その短手方向の略中央部においてスリットＳ３が、屋内案内レール５８の長手方向に沿ってかつ長手方向の全域に渡って、所定の幅で形成されている。このスリットＳ３のスリット幅は、長手スリットＳ１及び短手スリットＳ２のスリット幅と同一となっている。
【００５６】
一対の屋内案内レール部５６は、誘導口５９が設けられている位置にそれぞれ配設されており、本実施形態では隣接する一対の外周案内レール５７の誘導口５９に対してそれぞれ配設されている。より詳しくは、各屋内案内レール部５６は、屋内案内レール５８のスリットＳ３が外周案内レール５７の短手スリットＳ２と直列に連続する位置に配設されている。
【００５７】
下階外壁パネル２０及び上階外壁パネル３０の上端部背面側には、案内手段を構成する一対の吊り具６０が取り付けられている。本実施形態では、吊り具６０として吊りボルトを使用しているが、吊りボルト以外のものを使用してもよい。外壁パネル２０、３０の上フレーム部２８ｂの上端水平部には一対の吊り具用ウェルドナット６１が下面側に固定されている。そして、吊り具６０を吊り具用ウェルドナット６１に螺合させることにより、吊り具６０は外壁パネル２０、３０に取り付けられている。吊り具６０は、このように吊り具用ウェルドナット６１に対する螺合により取り付けられているため、吊り具６０の締め込み量を増減させることにより吊り具６０の上フレーム部２８ｂ上端からの出代寸法を調整することができる。
【００５８】
吊り具６０は、その頭部に、レール部５０に対してスライド移動可能な吊り部６０ａを備えている。吊り部６０ａは金属製の円板状の回転体であり、吊り具６０の中心軸を回動中心としてボルト部分（吊り部６０ａ以外の部分）に対して回動可能に構成されている。なお、吊り部６０ａとしてローラを用いてもよい。また、吊り部６０ａは、その外径寸法が外周案内レール５７の段差起立部５７ｂと屋外側起立板部５７ｆとの離間距離より小さく、かつ、屋内案内レール５８の起立板部５８ｂ同士の離間距離より小さくなるように形成されており、さらに、その高さ寸法が外周案内レール５７の中間水平部５７ｃと上端水平部５７ｅとの離間距離より小さく、かつ、屋内案内レール５８の支持水平部５８ａと上端水平部５８ｃとの離間距離より小さくなるように形成されている。それに対して吊り具６０のボルト部分は、その外径寸法が外周案内レール５７及び屋内案内レール５８に形成された各スリットＳ１、Ｓ２及びＳ３のスリット幅より小さくなるように形成されている。以上により、吊り具６０は、そのボルト部分を外周案内レール５７の長手スリットＳ１又は短手スリットＳ２に挿通させ、吊り部６０ａを外周案内レール５７の支持水平部５７ａに載置させた状態でスライド移動させることができる。また、屋内案内レール５８に対しても同様に、吊り具６０は、そのボルト部分を屋内案内レール５８のスリットＳ３に挿通させ、吊り部６０ａを屋内案内レール５８の支持水平部５８ａに載置させた状態でスライド移動させることができる。
【００５９】
本実施形態では、外周案内レール５７の中間水平部５７ｃの上面位置と屋内案内レール５８の支持水平部５８ａの上面位置とは高さ位置が同一となっている。そして、屋内案内レール５８の起立板部５８ｂの内側面は、誘導口５９の幅方向の端部より内側に設定されている。したがって、吊り部６０ａを誘導口５９を介して屋内案内レール５８の支持水平部５８ａから外周案内レール５７の中間水平部５７ｃにスライド移動させることにより受け渡すことができるため、吊り具６０は屋内案内レール部５６から外周案内レール部５５にスライド移動させることができる。
【００６０】
また、吊り具６０と螺合される一対の吊り具用ウェルドナット６１は、外壁パネル２０、３０の幅方向に所定の間隔をおいて固定されている。具体的には、一対の吊り具用ウェルドナット６１は、これらの中心間距離がレール部５０に形成された一対のスリットＳ３の長手方向に沿った中心線間距離と等しくなるように設定されている。したがって、一対の吊り具用ウェルドナット６１に螺合することより取り付けられている一対の吊り具６０も上記間隔と同一の間隔をおいて取り付けられているため、一対の吊り具６０を一対の屋内案内レール部５６に吊り下げることにより外壁パネル２０、３０を吊り下げることができるようになっている。
【００６１】
天井梁１６、１７等には、天井下地材としての野縁受け６７が屋内案内レール部５６と平行に所定間隔で、複数、釘等により固定されている。本実施形態では、屋内案内レール部５６の厚さは野縁受け６７の厚さと等しくなっている。そのため、屋内案内レール部５６の下面は、野縁受け６７の下面と同じ高さとなっている。また、屋内案内レール部５６と野縁受け６７の下面には、天井下地材としての天井野縁６８が野縁受け６７と直交する向きで複数、所定の間隔をおいて釘等により固定されている。そして、これらの天井野縁６８の下面には、天井材２４が固定されている。
【００６２】
次に、上記のように構成される建物１０の施工手順について、下階外壁パネル２０及び上階外壁パネル３０の施工手順を中心に、図７に基づいて説明する。
【００６３】
まず、基礎１１の天端上に下階天井梁１６、上階天井梁１７等の梁や下階柱、上階柱等の柱を含む軽量鉄骨を、基礎１１側から順に組み立てていき、軸組構造を構築する。そして、この軸組構造に対して、一階部分１２においては基礎１１上に床面下地材２２を敷設し、二階部分１３においては下階天井梁１６上に床根太１９を設置してから床根太１９の上に床面下地材２２を敷設する。
【００６４】
次に、下階外壁パネル２０及び上階外壁パネル３０の取り付け施工に入る。
【００６５】
まず、下階外壁パネル２０をレッカー車等により建物１０の屋内に荷降ろしする。そして、図７（ａ）に示すように、下階外壁パネル２０をその外壁面を上側に向けた状態で床面上に寝かせ、この状態でシャッタ装置２５を下階外壁パネル２０の外壁面上の所定位置にボルト等の固定手段により取り付ける。また、吊り具６０を、下階外壁パネル２０の上フレーム部２８ｂに固定された吊り具用ウェルドナット６１に螺合させることにより、下階外壁パネル２０に取り付ける。この際、下階外壁パネル２０を適切な高さ位置で吊り下げられるように、吊り具６０の締め込み量を増減させることにより吊り具６０の下階外壁パネル２０上端に対する出寸法の調整も合わせて行う。なお、パネル上部固定板３７は、この段階においてはボルト３８及びナット３９により仮固定しておく。
【００６６】
次に、各外周案内レール５７を外周下階天井梁１６ａの下面にボルトにより固定し、外周案内レール部５５を構築する。そして、各屋内案内レール５８を屋内下階天井梁１６ｂの下面にボルト溶接等により固定し、屋内案内レール部５６を構築する。これにより、レール部５０が構築される。
【００６７】
次に、図７（ｂ）に示すように、下階外壁パネル２０を吊り具６０が上側を向くように、かつ、外壁面が屋外側を向くようにして直立に起こす。そして、吊り具６０の吊り部６０ａを屋内案内レール部５６の屋内側端部の開口部より屋内案内レール部５６の内側領域に挿し込む。具体的には、吊り具６０のボルト部分をスリットＳ３に挿通させて吊り部６０ａを屋内案内レール５８の支持水平部５８ａ上に載置させる。これにより、下階外壁パネル２０は屋内案内レール部５６に対して吊り下げられる。なお、下階外壁パネル２０は一対の吊り具６０により吊り下げられるため、吊り下げ状態にある場合でも回転することなく安定した状態で吊り下げられる。
【００６８】
下階外壁パネル２０の吊り下げ後、下階外壁パネル２０の下端部を支持手段を構成する搬送台車６２により支持する。搬送台車６２は、四辺形リンク機構を利用した支持高さ調整手段を備えており、これにより、搬送台車６２により支持された下階外壁パネル２０の高さ位置を調整することが可能となっている。搬送台車６２により下階外壁パネル２０を支持する際には、この調整手段を使って下階外壁パネル２０の支持高さを適切な位置に調整する。
【００６９】
次に、吊り具６０を屋内案内レール部５６に沿ってスライドさせながら、下階外壁パネル２０を屋外側につまり外周案内レール部５５側に移動させる。移動の際には、下階外壁パネル２０を搬送台車６２により押しながら移動させる。なお、下階外壁パネル２０の移動は、例えば下階外壁パネル２０にロープを連結して当該ロープを引っ張ることにより行ってもよい。下階外壁パネル２０を屋外側に移動させると、やがて吊り具６０の吊り部６０ａは屋内案内レール部５６を通過し、通過とともに誘導口５９から外周案内レール部５５の内側領域に入る。そして、吊り具６０が外周案内レール部５５の内側領域に入る頃には、搬送台車６２は床面の屋外側端部に達しているため、ここで下階外壁パネル２０の下端部から搬送台車６２を抜き取る。そして、さらに下階外壁パネル２０を屋外側に移動させると、吊り部６０ａが中間水平部５７ｃから支持水平部５７ａに落下し、それに伴い下階外壁パネル２０も下方に落下する。
【００７０】
下階外壁パネル２０の落下後は、下階外壁パネル２０を外周案内レール部５５に沿って所定の取り付け位置に移動させる。移動させた後は下階外壁パネル２０の下部を屋外側に押すことにより下階外壁パネル２０を傾け、この傾けた状態で下階外壁下パネル３１をパネル下部固定板２９に取り付け、下階外壁下パネル３１上端の所定位置に止水材３４を載せる。そして、傾けた状態にある下階外壁パネル２０を直立させながら少し上方に持ち上げてから、下階外壁パネル２０を下階外壁下パネル３１の上方に設置する。これにより、止水材３４は圧縮され、下階外壁パネル２０と下階外壁下パネル３１との間の止水がなされる。
【００７１】
次に、下階外壁パネル２０の固定作業に入る。まず、ボルト３５を下階外壁下パネル３１の下階下部フレーム３３に設けられた下側ウェルドナット３６に螺合させることにより下階外壁パネル２０の下端部を固定する。そして、パネル上部固定板３７を仮固定していたボルト３８及びナット３９を緩めて、パネル上部固定板３７を上方へスライド移動させる。なお、このスライド移動範囲は挿通孔４０の上下方向の長さによって規定されている。その移動によってパネル上部固定板３７の上端部を外周案内レール５７に当接させる。そして、その当接状態においてボルト４３を外周下階天井梁１６ａに設けられた梁下側ウェルドナット４１に螺合させることによりパネル上部固定板３７を固定する。さらに、前記手順において緩めたボルト３８とナット３９を締結させることにより、パネル上部固定板３７を下階外壁パネル２０に対して固定する。これにより、下階外壁パネル２０の上端部は固定される。以上により、下階外壁パネル２０の固定作業は完了する。
【００７２】
以上説明した手順で、各下階外壁パネル２０を一対の屋内案内レール部５６を挟んだ両側に外側から順番に設置し、固定していく。なお、屋内案内レール部５６の屋外側に設置される下階外壁パネル２０のみ、この段階においては設置作業を行わないでおく。
【００７３】
各下階外壁パネル２０の設置及び固定が完了した後、設置作業を行わないで残しておいた、一対の屋内案内レール部５６の屋外側に設置される下階外壁パネル２０を設置する作業を行う。まず、下階外壁下パネル３１を所定の位置に固定し、下階外壁下パネル３１の上端の所定位置に止水材３４を載せる。そして、前述した手順により下階外壁パネル２０を屋内案内レール部５６に沿って外周案内レール部５５に導き、その後、図７（ｃ）に示すように、下階外壁パネル２０をさらに屋外側に移動させることにより下方に落下させる。そうすると、下階外壁パネル２０は、下階外壁下パネル３１上の所定の取り付け位置に落下する。この落下により止水材３４は圧縮され、下階外壁パネル２０と下階外壁下パネル３１との間の止水がなされる。そして、その後、前述した手順により下階外壁パネル２０の固定作業を行う。
【００７４】
以上により、全ての下階外壁パネル２０の設置及び固定が完了する。
【００７５】
次に、上階外壁下パネル４４の取り付け作業に入る。上階外壁下パネル４４に下パネル固定板４７を予めボルトにより取り付けた後、ボルト４９を外周下階天井梁１６ａに設けられた梁上側ウェルドナット４８に螺合させることにより下パネル固定板４７を外周下階天井梁１６ａ上面に固定する。これにより、上階外壁下パネル４４は、外周下階天井梁１６ａに対して固定される。そして、その後、下階外壁パネル２０の外壁板２７と上階外壁下パネル４４の上階下部外壁板４５との間に形成される隙間部に止水カバー５１を取り付ける。これにより、下階外壁パネル２０と上階外壁下パネル４４との間の止水がなされる。
【００７６】
以上により、下階外壁パネル２０及びその周辺部の外壁パネルの取り付け施工は完了する。また、上階外壁パネル３０の取り付け施工については、下階外壁パネル２０と基本的には同様の手順であるので説明は省略する。
【００７７】
下階外壁パネル２０及び上階外壁パネル３０の取り付け施工後は、図７（ｄ）に示すように、野縁受け６７を、屋内案内レール部５６と平行に所定間隔で複数、天井梁１６、１７等に対して釘等により固定する。その後、野縁受け６７と直交する向きで、天井野縁６８を下側から野縁受け６７及び屋内案内レール部５６に対して釘等により所定間隔で複数固定する。そして、これらの天井野縁６８に天井材２４を下側からビス等により固定する。さらに、図示しない内壁板の取り付けや床仕上げ材２１の敷設等の施工作業をすることで、建物１０は完成する。
【００７８】
以上、詳述した本実施形態によれば、以下の優れた効果が得られる。
【００７９】
本実施形態では、屋内天井梁１６ｂ、１７ｂには一対の屋内案内レール部５６を、外周天井梁１６ａ、１７ａには外周案内レール部５５をそれぞれ設け、また、屋内案内レール部５６は外周案内レール部５５に設けられた誘導口５９に合わせて配設した。そして、外壁パネル２０、３０の上端部背面側には外周案内レール部５５及び屋内案内レール部５６に吊り下げられる吊り具６０を取り付けた。これにより、外壁パネル２０、３０を屋内案内レール部５６に対して吊り下げた状態で建物の屋内側から屋外側へ案内することができる。そして、外壁パネル２０、３０を誘導口５９を介して屋内案内レール部５６から外周案内レール部５５に移動させることができるので、外壁パネル２０、３０を所定の取り付け位置に設置することができる。これにより、建物の屋内側から重量物である外壁パネル２０、３０を所定の位置に設置するに際して、取り回しが容易となる。したがって、隣棟間隔の小さい狭小敷地などにおいても外壁パネル２０、３０を容易に取り付け施工することができる。また、外部足場を不要とすることができる利点もある。
【００８０】
本実施形態では、屋内案内レール部５６の厚さが、すなわち屋内案内レール５８の厚さが野縁受け６７の厚さと同じとなっているため、屋内案内レール５８の下面は野縁受け６７の下面と同じ高さとなっている。したがって、屋内案内レール５８を野縁受け６７とともに天井野縁６８を固定するための天井下地材として使用することができる。これにより、屋内案内レール５８は外壁パネルの取り付け施工に利用することができるだけではなく、取り付け施工後は建物１０の一部として利用することができるため、屋内案内レール５８の有効利用を図ることができる。また、屋内案内レール５８を天井下地材として利用すれば、外壁パネルの取り付け施工後に屋内案内レール５８を建物１０から取り外す必要がなくなるため、施工の際の作業量をその分抑制することができる。
【００８１】
本実施形態では、外壁パネル２０、３０の取り付け施工前に、シャッタ装置２５を外壁パネル２０、３０の外壁面に取り付けている。これにより、通常は外壁パネル２０、３０の取り付け施工後に屋外側から行うシャッタ装置２５の取り付けを、本構成によれば、外壁パネル２０、３０の取り付け施工前に、屋内で行うことができる。したがって、従来は足場を組むことができないため屋外側から外壁パネル２０、３０にシャッタ装置２５の取り付けができなかった狭小敷地等においても、外壁パネル２０、３０にシャッタ装置２５を取り付けることが可能となる。
【００８２】
本実施形態では、外周案内レール５７、屋内案内レール５８ともに剛性の高い天井梁１６、１７に固定されているため、重量物である外壁パネル２０、３０が吊り下げられても撓みにくくなっている。したがって、外壁パネル２０、３０の吊り下げ移動時に、外周案内レール５７又は屋内案内レール５８が下側に撓むことにより外壁パネル２０、３０の下端が床面に接触して外壁パネル２０、３０を移動させることができなくなるおそれは減る。
【００８３】
外壁パネル２０、３０を吊り下げる吊り具６０は、吊り具用ウェルドナット６１に螺合させることにより外壁パネル２０、３０に取り付けられているため、吊り具６０の締め込み量を増減させることにより外壁パネル２０、３０の吊り下げ高さ位置を調整することができる。これにより、外壁パネル２０、３０をレール部５０に対して吊り下げた状態で移動させる際に、外壁パネル２０、３０の上端部及び下端部がそれぞれレール部５０及び床面に接触しないように、外壁パネル２０、３０の高さ位置を適切な位置に調整することができる。
【００８４】
本実施形態では外壁パネル２０、３０をレール部５０に対して吊り下げて移動させる際には、外壁パネル２０、３０の下端を搬送台車６２により支持することができる。外壁パネル２０、３０をレール部５０に対する吊り下げのみにより支持する構成とすると、外壁パネル２０、３０の重量が特に大きい場合にはレール部５０が固定されている天井梁が下側に撓み、これにより外壁パネル２０、３０の下端部が床面に接触するおそれがある。しかしながら、本構成のようにすれば外壁パネル２０、３０の下端部は搬送台車６２により支持されるため、そのようなおそれはなくなる。
【００８５】
また、搬送台車６２は支持高さの位置調整が可能であるため、搬送台車６２により支持されている外壁パネル２０、３０の支持高さ位置を調整することができる。これにより、外壁パネル２０、３０吊り下げ時に、外壁パネル２０、３０の上端部がレール部５０に接触しないように、外壁パネル２０、３０の支持高さ位置を適切な位置に調整することができる。
【００８６】
本実施形態では、外周案内レール５７の支持水平部５７ａが中間水平部５７ｃより低く設定されているため、下階外壁パネル２０を屋外側に移動させると、吊り具６０の吊り部６０ａが中間水平部５７ｃから支持水平部５７ａに落下する。そして、この落下に伴い下階外壁パネル２０は予め設けられた下階外壁下パネル３１の上方に落下し、下階外壁下パネル３１上端部の所定位置に予め載せられた止水材３４を圧縮する。これにより、下階外壁パネル２０を所定の位置に設置するのと同時に、下階外壁パネル２０と下階外壁下パネル３１との間の止水を行うことができる。したがって、施工時において当該部分については止水作業を行う必要がなくなるため、作業量の低減を期待することができる。また、上階外壁パネル３０については説明を省略するが、下階外壁パネル２０と同様の構成であるため、上階外壁パネル３０についても設置と同時に止水を行うことができる。
【００８７】
本発明は上記実施形態の記載内容に限定されず、例えば次のように実施されてもよい。
【００８８】
上記実施形態では、屋内案内レール部５６を一対設けたが、屋内案内レール部５６は１つにしてもよい。この場合、吊り具６０は、外壁パネル２０、３０上端部の幅方向の略中央に取り付けるのがよい。そうすることで、外壁パネル２０、３０を安定した直立状態で吊り下げることができる。
【００８９】
上記実施形態では、外壁パネル２０、３０をレール部５０に対して吊り下げて移動させる際に、搬送台車６２により外壁パネル２０、３０の下端部を支持する構成としたが、搬送台車６２は使用しなくてもよい。
【００９０】
上記実施形態では、下階外壁パネル２０の取り付け施工前に、シャッタ装置２５を屋内で下階外壁パネル２０の外壁面に取り付ける構成としたが、シャッタ装置２５に限らず面格子等の外装部材を屋内で取り付けてもよい。外装部材は一般に足場を組まないと取り付けができないため、足場を組むことができない狭小地においては外壁パネル２０、３０の取り付け施工後は外装部材の取り付けができないが、予め屋内で外装部材を取り付ける本構成のようにすれば取り付けが可能となる。
【００９１】
上記実施形態では、外周案内レール部５５及び屋内案内レール部５６をそれぞれ複数の外周案内レール５７及び屋内案内レール５８により構成したが、これをそれぞれ１本の案内レールにより構成してもよい。
【００９２】
上記実施形態では、外壁パネル２０、３０の取り付け施工後、屋内案内レール部５６を天井下地材として使用したが、屋内案内レール部５６だけではなく外周案内レール部５５を天井下地材として使用してもよい。
【００９３】
また、屋内案内レール部５６及び外周案内レール部５５を天井下地材として使用しない構成としてもよい。但し、その場合、外壁パネル２０、３０の取り付け施工後、屋内案内レール部５６及び外周案内レール部５５を取り外す作業が入るため、施工時における作業量が増大するおそれがある。したがって、その点を鑑みると、屋内案内レール部５６及び外周案内レール部５５を天井下地材として使用する構成とした方が望ましい。しかしながら、屋内案内レール部５６及び外周案内レール部５５を取り外して別の建物で再利用を図ろうとするならば、天井下地材として使用しない構成とするのもよい。
【図面の簡単な説明】
【００９４】
【図１】一実施形態の建物の一部を示す側面図。
【図２】外壁パネル、梁及び各レールとの関係を示す要部側面図。
【図３】屋内案内レールの斜視図。
【図４】外周案内レールの斜視図。
【図５】屋内案内レール及び外周案内レールの配置を示す底面図。
【図６】外壁パネルの吊り下げ構成を示す斜視図。
【図７】建物の施工順序を示す図。
【符号の説明】
【００９５】
１０…建物、１６…下階天井梁、１７…上階天井梁、２０…下階外壁パネル、２７…外壁板、２８…フレーム、３０…上階外壁パネル、３１…下階外壁下パネル、３７…パネル上部固定板、４４…上階外壁下パネル、５０…レール部、５２…上階外壁上パネル、５５…外周案内レール部、５６…屋内案内レール部、５７…外周案内レール、５８…屋内案内レール、５９…誘導部としての誘導口、６０…吊り具、６２…搬送台車、６７…天井下地材としての野縁受け、６８…天井下地材としての天井野縁。
【図１】
2009203739.tif 000003
【図２】
2009203739.tif 000004
【図３】
2009203739.tif 000005
【図４】
2009203739.tif 000006
【図５】
2009203739.tif 000007
【図６】
2009203739.tif 000008
【図７】
2009203739.tif 000009